(57)【特許請求の範囲】
【請求項１】
液体を収納する容器と、前記容器内の液体を加熱する加熱手段と、前記容器上部を閉塞すると共に、前記容器上方に連通する蒸気口を設けた蓋と、前記容器内の液体を取り出す送水装置と、前記容器を収容する本体とを有し、前記蓋の前記蒸気口の近傍に蓄光部材を２０％以上含有する顔料で印刷した印刷物を貼り付けた構成とした電気湯沸かし器。
【請求項２】
液体を収納する容器と、前記容器内の液体を加熱する加熱手段と、前記容器上部を概略閉塞すると共に、前記容器上方に連通する蒸気口を設けた蓋と、前記容器内の液体を取り出す送水装置と、前記容器を収容する本体とを有し、前記蓋の材料に蓄光部材を含有させた構成とした電気湯沸かし器。
【請求項３】
液体を収納する容器と、前記容器内の液体を加熱する加熱手段と、前記容器上部を概略閉塞する蓋と、前記容器内の液体を取り出す送水装置と、前記容器に一端を連通し他端を外方に開口した出湯口に連通した透明な部材で形成された導水管とを有し、前記導水管に蓄光部材を塗布した電気湯沸かし器。
【発明の詳細な説明】
【０００１】
【発明の属する技術分野】
本発明は主として一般家庭または事務所等で使用される電気湯沸かし器に関するものである。
【０００２】
【従来の技術】
従来この種の電気湯沸かし器は図８および図９に示すようであった。１は上方を開口し上端部に外方にフランジ２を設けて底部に加熱手段であるヒーター３を備えた容器である。４は中央に円筒状の保持部５を設けて該保持部５にパッキン６を介して水密的に前記容器１を係止する合成樹脂で形成された上枠であり、一端にヒンジ７が設けてある。８は合成樹脂で形成されて容器１を収納する本体である。
【０００３】
９は容器１上部を覆う合成樹脂で形成された蓋であり、該蓋９の一端に取り付けたピン１０を前記上枠４のヒンジ７に嵌着して回転する。蓋９には前記容器１上方に連通する蒸気口１１が設けられている。１２は蓋９の外周に備えられたシールパッキンであり、蓋９の閉塞で前記容器１のフランジ２を気密的にシールする。
【０００４】
１３は容器１底部に一端を連通し、他端を本体８外方に開口した透明なガラス管で形成された導水管１４に連通した送水手段を構成する遠心ポンプである。
【０００５】
１５は前記本体８の前面に位置して前記導水管１４が外方より見えるように設けられた縦長で透明な合成樹脂フィルムで形成された窓部である。窓部１５には容器１内の水量に合わせて内容量を示す目盛り１６が印刷してある。また窓部１５は本体８外方から見て窓部１５から導水管１４が見える位置にある。また導水管１４は窓部１５から見て後ろ側つまり導水管１４の容器１に近い側の約半周の面に導水管１４の長手方向に対して約３０度傾いた白色の縞模様１７が印刷してある。
【０００６】
１８は前記上枠４の保持部５下部に位置して前記容器１外側面に巻き付けられた厚さが約１０ｍｍのガラス繊維の不織布で形成された断熱材である。該断熱材１８の下端は容器１底面と同じ高さである。
【０００７】
１９は容器１下部に固定されたアルミ鍍金鋼板等でプレス加工で形成された遮熱板である。前記遠心ポンプ１３はこの遮熱板１９に固定されている。
【０００８】
２０は外部より電気を給電する接続部である。２１は容器１底部略中央に接触して備えられた温度検知素子である。２２は温度検知素子２１からの信号でヒーター３への通電を制御するとともに操作部２３のライトタッチスイッチで構成されたスイッチ２４やＬＥＤで構成されたランプ２５を制御する制御回路である。２６は蓋９の蒸気口１１近傍に貼り付けられた蒸気に対する注意を促す注意喚起シールである。２７は使用上の注意等を印刷した樹脂フィルムで形成された説明シールである。
【０００９】
以上のように構成された電気湯沸かし器において、容器１に水を給水する。ピン１０を軸にして蓋９を閉じると、シールパッキン１２がフランジ２を水密的にシールする。容器１内に水が満たされるとともに、容器１底部に連通した導水管１４にも水が浸入し、やがて容器１内と同じ水位になる。容器１内の水量を確認するときは蓋９を開けずに窓部１５の目盛り１６を見る。
【００１０】
次に、接続部２０から電気を給電する。温度検知素子２１は容器１底部を介して湯温を検知し、制御回路２２が温度検知素子２１からの信号でヒーター３へ通電して湯沸かしする。やがて水温が上昇し、沸騰すると温度検知素子２１がこれを検知して制御回路２２がヒーター３への通電を断電し、以降は温度検知素子２１からの信号で制御回路２２はヒーター３への通電を制御して保温温度（約９５度）を維持する。
【００１１】
湯を所望のときは操作部２３のスイッチ２４を操作して遠心ポンプ１３を作動させ導水管１４を介して給湯する。湯が少なくなると容器１に給水する。温度検知素子２１からの信号で制御回路２２はヒーター３に通電し、湯を沸かして再び保温する。以上のように湯沸かしと保温と給湯を繰り返して使用される。
【００１２】
【発明が解決しようとする課題】
しかしながら、上記のような従来の構成では、通電時にはランプは点灯しているが、本体や操作部やスイッチは自ら光りを放出していないといった構成であり、一般的な家庭や事務所の給湯室は比較的暗く、室内が暗いときは本体全体が見にくいし操作しにくく、沸騰中の蒸気口からの蒸気を確認するなどのためには室内の照明を明るくしなければいけないといった問題があった。
【００１３】
本発明は上記従来の問題点を解決するもので、蓄光部材を用いて、室内が暗くても本体の印刷内容あるいは本体の存在がわかり、あるいは水位管の水位が見えやすい電気湯沸かし器を提供することを目的とする。
【００１４】
【課題を解決するための手段】
上記目的を達成するために、本発明の一つの手段は、液体を収納する容器と、前記容器内の液体を加熱する加熱手段と、前記容器上部を閉塞すると共に、前記容器上方に連通する蒸気口を設けた蓋と、前記容器内の液体を取り出す送水装置と、前記容器を収容する本体とを有し、前記蓋の前記蒸気口の近傍に蓄光部材を２０％以上含有する顔料で印刷した印刷物を貼り付けた構成としたものである。
【００１５】
これにより、室内が暗くても印刷物自体が光を放ち、発生する蒸気に対して安全で、さらに本体の存在を知ることができて、いちいち室内の照明をつける必要がなく使い勝手が良い電気湯沸かし器を提供することが出来る。
【００１６】
【発明の実施の形態】
本発明の請求項１に記載の発明は、液体を収納する容器と、前記容器内の液体を加熱する加熱手段と、前記容器上部を閉塞すると共に、前記容器上方に連通する蒸気口を設けた蓋と、前記容器内の液体を取り出す送水装置と、前記容器を収容する本体とを有し、前記蓋の前記蒸気口の近傍に蓄光部材を２０％以上含有する顔料で印刷した印刷物を貼り付けた構成としたものであり、室内が暗くても印刷物自体が光を放ち、発生する蒸気に対して安全で、さらに本体の存在を知ることができて、いちいち室内の照明をつける必要がなく使い勝手が良い。
【００１７】
請求項２に記載の発明は、液体を収納する容器と、前記容器内の液体を加熱する加熱手段と、前記容器上部を概略閉塞すると共に、前記容器上方に連通する蒸気口を設けた蓋と、前記容器内の液体を取り出す送水装置と、前記容器を収容する本体とを有し、前記蓋の材料に蓄光部材を含有させた構成としたものであり、室内が暗かったり照明が消されても、蓋が自ら光りを放射して周囲を照明するので、本体の存在、操作位置を知ることができるだけでなく周囲の印刷された内容を読むことができ、従って必要な操作を確実に実行することができる。またいちいち室内の照明をつける必要がない。
【００１８】
請求項３に記載の発明は、液体を収納する容器と、前記容器内の液体を加熱する加熱手段と、前記容器上部を概略閉塞する蓋と、前記容器内の液体を取り出す送水装置と、前記容器に一端を連通し他端を外方に開口した出湯口に連通した透明な部材で形成された導水管とを有し、前記導水管に蓄光部材を塗布したものであり、多少暗くても導水管が見やすいという作用を有する。
【００１９】
【実施例】
（実施例１）
以下に本発明の第１の実施例について、図１を参照しながら説明する。容器１、フランジ２、加熱手段を構成するヒーター３、上枠４、保持部５、パッキン６、ヒンジ７、本体８、蓋９、ピン１０、蒸気口１１、シールパッキン１２、送水装置を構成する遠心ポンプ１３、導水管１４、窓部１５、縞模様１７、断熱材１８、遮熱板１９、接続部２０、温度検知素子２１、制御回路２２、スイッチ２４、ランプ２５は従来の実施例と同一の形状と機能であり、同一の名称と番号を使用する。
【００２０】
３１は操作部を構成するメンブレンシートである。前記メンブレンシート３１は表面には蓄光部材を形成するストロンチウム系の蓄光剤を６０％含有した顔料が印刷してある。スイッチ２４はエンボス加工が施してあり操作感がでるように形成されている。３２は窓部であり、中央の透明部３３以外の面には蓄光剤を６０％含有した顔料が印刷してある。
【００２１】
３４は本体の側面に印刷された操作説明部であり、蓄光剤を６０％含有した顔料が印刷してある。３５は蓋９の蒸気口１１の近傍に貼り付けられた注意喚起シールであり、蓄光剤を６０％含有した顔料が印刷してある。
【００２２】
メンブレンシート３１と、操作説明部３４と、注意喚起シール３５とで印刷物を構成する。
【００２３】
以上のように構成された電気湯沸かし器において、給水から湯沸かしの動作および湯の給湯操作については従来例と同じであるので省略する。
【００２４】
蓄光剤の含有率については、顔料の２０％以下では残り８０％以上の光を蓄積して発しない他の顔料が光を吸収してしまい目視で確認できない程度の発光量しか得られない。従って、蓄光剤の含有率は２０％以上でなければ十分な発光効果が得られないこととなる。
【００２５】
室内が暗かったり照明が消されても、操作説明部３４は自ら光りを放射してその印刷された内容を読むことが出来る。
【００２６】
また、室内が暗かったり照明が消されても、操作部であるメンブレンシート３１が自ら光りを放射することで、容易に操作することができて、いちいち室内の照明を点灯しなくても良く省エネルギーの効果がある。
【００２７】
また、就寝前に容器１に水を継ぎ足しておいて就寝中に湯沸かしをさせる場合に、湯沸かし途中で室内が暗かったり照明が消されていて本体に近づくことがあっても蒸気口１１近傍の注意喚起シール３５に気づき、蒸気口１１に手や顔を近づけないこととなり取り扱い上安全性が向上する。
【００２８】
さらに、室内が暗かったり照明が消されても、メンブレンシート３１や操作説明部３４が光ることで本体の存在を知ることができる。
【００２９】
以上のように第１の実施例によれば、室内の照明が消されても操作しやすく、また発生する蒸気に対して安全で、さらに本体８の存在を知ることができて、いちいち室内の照明をつける必要がなく使い勝手のよい安全で省エネルギー効果のある電気湯沸かし器を提供することが出来る。
【００３０】
（実施例２）
以下に本発明の第２の実施例について、図２を参照しながら説明する。容器１、フランジ２、加熱手段を構成するヒーター３、上枠４、保持部５、パッキン６、ヒンジ７、本体８、蓋９、ピン１０、蒸気口１１、シールパッキン１２、送水装置を構成する遠心ポンプ１３、導水管１４、窓部１５、断熱材１８、遮熱板１９、接続部２０、温度検知素子２１、制御回路２２、スイッチ２４、ランプ２５は従来の実施例と同一の形状と機能であり、同一の名称と番号を使用する。
【００３１】
４１は本体の上部に貼り付けられた操作部を構成するメンブレンシートであり、下地印刷４２には蓄光剤を使用せずに一方で蓄光剤を６０％含有した顔料でスイッチ２４の位置やランプ２５の説明等の上印刷４３が印刷されている。
【００３２】
導水管１４には蓄光剤を６０％含有した顔料で縞模様（図示せず：従来例と同じ形状）のみが印刷されている。
【００３３】
４４は窓部１５に印刷された目盛りであり、目盛りのみが蓄光剤を６０％（２０％以上）含有した顔料で印刷されている。４５は蓋９の蒸気口１１近傍に貼り付けられた蒸気口１１から発生する蒸気に対する注意を促す注意喚起シールである。
【００３４】
以上のように構成された電気湯沸かし器において、給水から湯沸かしの動作および湯の給湯操作については従来例と同じであるので省略する。
【００３５】
室内が暗かったり照明が消されても、メンブレンシート４１の上印刷４３は自ら光りを放射してその印刷された内容のみが光って見ることが出来るのでスイッチ２４の操作や、ランプ２５を確認することで作動状況がわかる。
【００３６】
また、メンブレンシート４１や目盛り４４や注意喚起シール４５が光ることで本体の存在を知ることができて、いちいち室内の照明をつける必要がない。
【００３７】
また、就寝前に容器１に水を継ぎ足しておいて就寝中に湯沸かしをさせる場合に、湯沸かし途中で室内が暗かったり照明が消されていて本体に近づくことがあっても蒸気口１１近傍の注意喚起シール４５に気づき、蒸気口１１に手や顔を近づけないこととなり取り扱い上安全性が向上する。
【００３８】
さらに、メンブレンシート４１や目盛り４４や注意喚起シール４５の全面に蓄光剤を印刷する必要がなく、省資源効果がある。
【００３９】
以上のように第２の実施例によれば、本体８の周囲が暗くてもメンブレンシート４１や注意喚起シール４５が読みやすく操作できるだけでなく、室内の照明が消されても本体８の存在を知ることができて、いちいち室内の照明をつける必要がない使い勝手のよい省資源効果のある電気湯沸かし器を提供することが出来る。
【００４０】
（実施例３）
以下に本発明の第３の実施例について、図３を参照しながら説明する。容器１、フランジ２、加熱手段を構成するヒーター３、保持部５、パッキン６、ヒンジ７、ピン１０、蒸気口１１、シールパッキン１２、送水装置を構成する遠心ポンプ１３、導水管１４、窓部１５、目盛り１６、縞模様１７、断熱材１８、遮熱板１９、接続部２０、温度検知素子２１、制御回路２２、操作部２３、スイッチ２４、ランプ２５、注意シール２６、説明シール２７は従来の実施例と同一の形状と機能であり、同一の名称と番号を使用する。
【００４１】
上枠５１、本体５２、蓋５３は従来の実施例と同一の形状であり同一の機能であるが、さらに材料に蓄光剤を含有している。樹脂材料に含有する蓄光剤の比率（重量比）は数％であり、印刷時の含有比率よりは低くする。これは樹脂材料本来の特性を維持するためである。
【００４２】
以上のように構成された電気湯沸かし器において、給水から湯沸かしの動作および湯の給湯操作については従来例と同じであるので省略する。
【００４３】
室内が暗かったり照明が消されても、上枠５１、本体５２、蓋５３は自ら光りを放射して周囲を照明するので操作位置を知ることができるだけでなく周囲の印刷された内容を読むことができ、従って必要な操作を確実に実行することができる。またいちいち室内の照明をつける必要がない。
【００４４】
以上のように第３の実施例によれば、部品点数を増やすことなく本体８の周囲が暗くても上枠５１、本体５２、蓋５３が光を放射するので周囲の操作説明も読みやすく操作部２３の操作位置を知ることができて確実な操作が実行できる。また室内の照明が消されても本体の存在を知ることができて、いちいち室内の照明をつける必要がない使い勝手のよい電気湯沸かし器を提供することが出来る。
【００４５】
（実施例４）
以下に本発明の第４の実施例について、図４を参照しながら説明する。容器１、フランジ２、加熱手段を構成するヒーター３、上枠４、保持部５、パッキン６、ヒンジ７、本体８、蓋９、ピン１０、蒸気口１１、シールパッキン１２、送水装置を構成する遠心ポンプ１３、導水管１４、窓部１５、目盛り１６、断熱材１８、遮熱板１９、接続部２０、温度検知素子２１、制御回路２２、操作部２３、スイッチ２４、ランプ２５は従来の実施例と同一の形状と機能であり、同一の名称と番号を使用する。
【００４６】
６１は導水管１４の窓部１５から見て後ろ側、つまり導水管１４の容器１に近い側に印刷されたストロンチウム系の蓄光剤を含有したインクで印刷された蓄光部材を形成する縞模様であり、該縞模様６１は鉛直な導水管１４に対して約３０度傾いている。蓄光剤は顔料の６０％の重量比で含有されている。光を放射する限界の比率は２０％以上である。
【００４７】
以上のように構成された電気湯沸かし器において、給水から湯沸かしの動作は従来例と同じであるので省略する。
【００４８】
保温時の導水管１４の説明をする。まず、容器１に給水すると、容器１内を水位が上昇するとともに容器１底部に連通した導水管１４にも水が浸入し、導水管１４内の容器１と同じ水位まで上昇して水は止まる。容器１内の水量を確認するときは蓋９を開けずに窓部１５の目盛り１６を見る。導水管１４は縞模様６１に含まれている蓄光剤により、常に光を蓄積するとともに本体１内の暗部に対して光を放出し、導水管１４近傍を見やすくしている。この見やすくなった導水管１４の水がある部分とない部分はガラス管だけの屈折率とガラス管と水の合成した屈折率との差によって導水管１４後ろの縞模様６１の見え方が異なるために水位がわかり従って湯量がわかることとなる。
【００４９】
次に、湯の給湯については従来例と同じであり省略する。
【００５０】
また、室内の照明を消したりしたときでも、容器１内の湯量がわかり、いちいち室内の照明をつける必要がない。
【００５１】
以上のように第４の実施例によれば、窓部１５の奥に位置する導水管１４の水位を確認しやすいだけでなく、室内の照明が消えていても導水管１４の水位を確認することができ従って容器内の水量を知ることができ、いちいち室内の照明を点灯しなくても良い省エネ効果のある電気湯沸かし器を提供することが出来る。
【００５２】
（参考例１）
以下に本発明の第１の参考例について、図５を参照しながら説明する。容器１、フランジ２、加熱手段を構成するヒーター３、上枠４、保持部５、パッキン６、ヒンジ７、本体８、蓋９、ピン１０、蒸気口１１、シールパッキン１２、送水装置を構成する遠心ポンプ１３、導水管１４、窓部１５、目盛り１６、縞模様１７、断熱材１８、遮熱板１９、接続部２０、温度検知素子２１、制御回路２２、操作部２３、スイッチ２４、ランプ２５は従来の実施例と同一の形状と機能であり、同一の名称と番号を使用する。
【００５３】
７１は導水管１４の窓部１５から見て後ろ側つまり導水管１４の容器１に近い側に位置し蓄光剤を含有したインクが塗布された蓄光部材を形成する蓄光テープであり、上面には黒色の縞模様７２が印刷されている。黒色の縞模様７２は光の放射を抑制する面であり、それ以外の蓄光剤を塗布した面は光を放射する面を形成する。蓄光テープ７１が接着するのは断熱材１８の両端部であり両端部を接着して円筒状とし円筒状の断熱材１８は容器１に巻着してある。この状態で前記縞模様７２は鉛直な導水管１４に対して約３０度傾いているように印刷してある。
【００５４】
以上のように構成された電気湯沸かし器において、給水から湯沸かしの動作は従来例と同じであるので省略する。
【００５５】
保温時の導水管１４の説明をする。まず、容器１に給水すると、容器１内を水位が上昇するとともに容器１底部に連通した導水管１４にも水が浸入し、導水管１４内の容器１と同じ水位まで上昇して水は止まる。
【００５６】
容器１内の水量を確認するときは蓋９を開けずに窓部１５の目盛り１６を見る。窓部１５からは導水管１４が見える。ここで蓄光テープ７１は断熱材１８を固定してかつ導水管１４後方に位置する。蓄光テープ７１に含まれている蓄光剤は常に光を蓄積するとともに本体８内の暗部に対して光を放出し、導水管１４近傍を見やすくしている。縞模様７２は蓄光剤の放出する光の一部を遮光して光を放出する部分と光を遮蔽する縞模様７２とのコントラストを強調する。
【００５７】
導水管１４は蓄光テープ７１の光により見やすくなり、導水管１４の水がある部分とない部分はガラス管だけの屈折率とガラス管と水の合成した屈折率との差によって導水管１４後ろのコントラストの強くなった縞模様７２の見え方が異なるために水位がくっきりとわかり従って湯量がわかることとなる。
【００５８】
次に、湯の給湯については従来例と同じであり省略する。
【００５９】
また、室内の照明を消したりしたときでも、蓄光テープ７１の放出する光で本体８内の導水管１４近傍が明るくなるとともに、光を遮蔽する縞模様７２により、導水管１４の水がある部分とない部分はガラス管だけの屈折率とガラス管と水の合成した屈折率との差によって導水管１４後ろの縞模様７２の見え方が異なるために水位がくっきりとわかり従って湯量がわかることとなる。従っていちいち室内の照明をつける必要がなく省エネ効果があり電気エネルギーが節約できる。
【００６０】
以上のように第１の参考例によれば、窓部１５の奥に位置する導水管１４の水位を確認しやすいだけでなく、室内の照明が消えていても導水管１４の水位を確認することができ従って容器１内の水量を知ることができ、室内の照明をつける必要がなく省エネ効果があり電気エネルギーが節約できる電気湯沸かし器を提供することが出来る。
【００６１】
（参考例２）
以下に本発明の第２の参考例について、図６および図７を参照しながら説明する。容器１、フランジ２、加熱手段を構成するヒーター３、上枠４、保持部５、パッキン６、ヒンジ７、本体８、蓋９、ピン１０、蒸気口１１、シールパッキン１２、送水装置を構成する遠心ポンプ１３、導水管１４、窓部１５、目盛り１６、縞模様１７、断熱材１８、遮熱板１９、接続部２０、温度検知素子２１、制御回路２２、操作部２３、スイッチ２４、ランプ２５、注意シール２６、説明シール２７は従来の実施例と同一の形状と機能であり、同一の名称と番号を使用する。
【００６２】
８１は上枠４の操作部２３位置に設けられた収納部であり、操作基板８２が収納されている。８３は操作基板８２にはんだで電気的に接続された液晶表示部である。８４は液晶表示部８３の表示する面とは反対側に当たる裏面に密着して備えられた蓄光板である。蓄光板８４は液晶表示部８３の裏面全体を覆うとともに立ち上げ部８５が液晶表示部８３の側面部８６に密着している。操作部２３の液晶表示部８３部分は透明にしてあり、外部から液晶表示部８３が見えるように構成されている。
【００６３】
図７は液晶表示部８３および蓄光板８４の断面を現している。８７は若干の隙間を維持して平行に位置した一対の板ガラスであり、間には液晶８８が充填され前記板ガラス８７の外周を封止剤８９で密封している。板ガラス８７の液晶８８側と反対側面には第１の偏光板９０と第２の偏光板９１が密着固定されている。９２は電極でありこの電極９２への信号により液晶８８に絵や文字を表示する。一対の板ガラス８７と液晶８８と封止剤８９と第１の偏光板９０と第２の偏光板９１と電極９２とで液晶表示部８３を形成している。
【００６４】
表示を見るときは第１の偏光板９０を介して液晶８８の表示内容を見ることとなる。第２の偏光板９１の液晶８８と反対側面には前記蓄光板８４が密着固定されているか又は若干の隙間を設けて配置されている。蓄光板８４は２０％以上の蓄光剤を含有した顔料で印刷されているかまたは蓄光剤を含有した樹脂で成形されている。
【００６５】
以上のように構成された電気湯沸かし器において、給水から湯沸かしの動作は従来例と同じであるので省略する。
【００６６】
液晶表示部８３の表示を見るときに、蓄光板８４は光を放出するために液晶表示部８３は裏側から光を照射されることとなりその表示がより明確に見えることとなる。また、立ち上げ部８５から放出された光は側面部８６から液晶表示部８３に入り、液晶表示部８３の表示がより明確に見えることとなる。
【００６７】
なお、第２の実施例では下地印刷４２には蓄光剤をいれずに上印刷４３に蓄光剤を含有させたが、蓄光剤の含有を逆にして抜き文字のようにしても良い。
【００６８】
また、第３の実施例では上枠５１、本体５２、蓋５３に蓄光剤を含有する構成にしたが、表面に塗布しても良い。要は表面に蓄光剤があって光を放射すれば良い。
【００６９】
また、第４の実施例および第１の参考例では縞模様６１と縞模様７２は導水管１４に対して約３０度の角度を持つ模様としたが、均一な印刷でも良く、また任意の幾何模様でも良い。
【００７０】
また、第１の参考例の光を遮蔽する縞模様７２は黒色にしたが任意の色でよくデザインの自由度が拡がることとなる。
【００７１】
さらに、第２の参考例では蓄光板８４は液晶表示部８３に密着させて構成されているが、液晶表示部８３の近傍に位置して光を供給すれば良い。
【００７２】
【発明の効果】
以上のように請求項１記載の発明は、蓄光部材を含有する顔料で印刷した印刷物を蒸気口近傍に貼り付けた構成としたことで、室内が暗くても印刷物自体が光を放ち、発生する蒸気に対して安全で、さらに本体の存在を知ることができて、いちいち室内の照明をつける必要がなく使い勝手が良い電気湯沸かし器を提供することができる。
【００７３】
また、請求項２記載の発明は、蓋の材料に蓄光部材を含有する構成とすることで、室内が暗くても操作部の位置がわかりかつ本体の存在がわかるという電気湯沸かし器を提供することができる。
【００７４】
また、請求項３記載の発明は、導水管に塗布した蓄光部材とで構成することで、多少暗くても水位が見やすい電気湯沸かし器を提供することができる。
【図面の簡単な説明】
【図１】  本発明の第１の実施例を示す電気湯沸かし器の斜視図
【図２】  本発明の第２の実施例を示す電気湯沸かし器の斜視図
【図３】  本発明の第３の実施例を示す電気湯沸かし器の斜視図
【図４】  本発明の第４の実施例を示す電気湯沸かし器の部分斜視図
【図５】  本発明の第１の参考例を示す電気湯沸かし器の部分斜視図
【図６】  本発明の第２の参考例を示す電気湯沸かし器の部分断面図
【図７】  本発明の第２の参考例を示す電気湯沸かし器の部分断面図
【図８】  従来の実施例を示す電気湯沸かし器の断面図
【図９】  従来の実施例を示す電気湯沸かし器の斜視図
【符号の説明】
１    容器
３    ヒーター（加熱手段）
８    本体
９    蓋
２２  遠心ポンプ（送水装置）
３１  メンブレンシート（印刷物）
３３  操作説明部（印刷部）
３５  注意喚起シール（印刷物）
【図１】
0004103275.tif 000002
【図２】
0004103275.tif 000003
【図３】
0004103275.tif 000004
【図４】
0004103275.tif 000005
【図５】
0004103275.tif 000006
【図６】
0004103275.tif 000007
【図７】
0004103275.tif 000008
【図８】
0004103275.tif 000009
【図９】
0004103275.tif 000010